(57)【要約】【課題】  本発明は、複数の光源と光学部材と複数の光源と光学部材との間隔を規定する支持部材とを有するバックライトにおいて、光学部材へ好適に光が入射することが可能な照明装置を提供することを目的とする。【解決手段】  本発明の照明装置１００は、複数の光源が配置されるベース部材７１と、ベース部材７１の前面に拡散距離Ｄ１離れて設けられる複数の光源から発せられた光を透過する光学シート４０と、ベース部材７１に固定され、光学シート４０を支持する支持部材９０と、を備え、支持部材９０は、複数の光源のうち、緑ＬＥＤ光源６２Ａと、緑ＬＥＤ光源６２Ａと拡散距離Ｄ１より短い距離に配置された緑ＬＥＤ光源６２Ｄとの間に配置されており、支持部材９０の直径は、緑ＬＥＤ光源６２Ａと緑ＬＥＤ光源６２Ｄとの距離の３０％以下であることを特徴とする。【選択図】  図３
2018032587.tif 000002
【特許請求の範囲】
【請求項１】
複数の光源が配置されるベース部材と、
前記ベース部材の前面側に所定の距離離れて設けられ、前記複数の光源から発せられた光を透過する光学シートと、
前記ベース部材に固定され、前記光学シートを支持する支持部材と、
を備え、
前記支持部材は、前記複数の光源のうち、第１の光源と、前記第１の光源と前記所定の距離より短い距離に配置された第２の光源との間に配置されており、前記支持部材の直径は、前記第１の光源と前記第２の光源との距離の３０％以下であることを特徴とする照明装置。
【請求項２】
前記支持部材の直径は、前記第１の光源と前記第２の光源との距離の５％以上であることを特徴とする請求項１に記載の照明装置。
【請求項３】
前記複数の光源が配置される複数の光源基板を備え、
前記複数の光源基板は、前記ベース部材に固定され、
前記第１の光源が配置される第１光源基板は、前記第２の光源が配置される第２光源基板と異なり、
前記支持部材は、前記第１光源基板と前記第２光源基板との間に設けられることを特徴とする請求項１または請求項２に記載の照明装置。
【請求項４】
前記支持部材は、前記複数の光源基板の合わせ目に配置され、
前記複数の光源基板の角部は所定の曲率を有することを特徴とする請求項３に記載の照明装置。
【請求項５】
前記第１の光源と前記第２の光源とに近接する位置に配置された第３の光源と、
前記支持部材を挟んで前記第３の光源に対応する位置に配置された第４の光源と、
をさらに備え、
前記支持部材の直径は、前記第１の光源と前記第２の光源との距離、および、前記第３の光源と前記第４の光源との距離のうち、短い距離の３０％以下であることを特徴とする請求項１乃至請求項４のいずれか１項に記載の照明装置。
【請求項６】
前記支持部材は、前記第１の光源と前記第２の光源とを結ぶ線分と、前記第３の光源と前記第４の光源とを結ぶ線分との交点に設けられることを特徴とする請求項５に記載の照明装置。
【請求項７】
前記ベース部材は、前記支持部材を固定する接合部を備え、
前記支持部材は、前記接合部に締結して固定されることを特徴とする請求項１乃至請求項６のいずれか１項に記載の照明装置。
【請求項８】
前記ベース部材は、前記支持部材を固定する接合部を備え、
前記支持部材は、前記接合部に圧入して固定されることを特徴とする請求項１乃至請求項６のいずれか１項に記載の照明装置。
【請求項９】
前記ベース部材の背面側に設けられた前記複数の光源を駆動するための駆動基板をさらに有し、
前記支持部材は、前記ベース部材と、前記駆動基板とに固定されることを特徴とする請求項１乃至請求項８のいずれか１項に記載の照明装置。
【請求項１０】
前記支持部材は、金属部材であることを特徴とする請求項１乃至請求項９のいずれか１項に記載の照明装置。
【請求項１１】
前記支持部材は、円柱形状であり、
前記支持部材の前記光学シートに対向する側の端部は、所定の曲率を有することを特徴とする請求項１乃至請求項１０のいずれか１項に記載の照明装置。
【請求項１２】
前記複数の光源は、所定の数の光源ごとに光源群を構成し、
前記第１の光源と前記第２の光源とはそれぞれ異なる光源群を構成することを特徴とする請求項１乃至請求項１１のいずれか１項に記載の照明装置。
【請求項１３】
前記ベース部材の前面側に配置され、前記複数の光源が露出するように開口が設けられた反射部材をさらに備えることを特徴とする請求項１乃至請求項１２のいずれか１項に記載の照明装置。
【請求項１４】
請求項１乃至請求項１３のいずれか１項に記載の照明装置と、
前記照明装置から照射された光を透過して画像を表示する表示手段と、
を備えることを特徴とする表示装置。
【発明の詳細な説明】
【技術分野】
【０００１】
本発明は、光源を備える照明装置と、その照明装置を備える表示装置に関する。
【背景技術】
【０００２】
光源を備えたバックライト（照明装置）と、バックライトから照射された光を透過して前面側に画像を表示する透過型の表示パネルを用いた、透過型のディスプレイがある。バックライトには、表示パネルの背面側に、複数の光源を配置した直下型のバックライトがある。直下型のバックライトでは、光源から発せられた光が表示パネルに好適な分布で入射するように、光を拡散や集光して透過する光学シートを設けることがある。また、光源から光学シートまで、光学的な特性により定められた距離だけ離すことにより、光源から発せられた光のムラを抑える技術がある。このとき、光源と光学シートとの距離を確保するために、支持部材（スペーサ）を用いる場合がある。
【０００３】
特許文献１には、赤色、緑色、および青色の発光ダイオード（光源）を含む発光ダイオードユニットを複数有するバックライト装置が開示されている。特許文献１には、隣接する４つの発光ダイオードユニットからの距離が略等しい位置に、拡散板を支持する光学スタッド部材（支持部材）を備えることが開示されている。
【先行技術文献】
【特許文献】
【０００４】
【特許文献１】特開２００８−１５２１０１号公報
【発明の概要】
【発明が解決しようとする課題】
【０００５】
しかしながら、特許文献１に開示された照明装置では、反射板と拡散板との距離よりも、隣接する発光ダイオードの間隔が長いことから、各発光ダイオードから発せられた各色の光が十分に拡散混合せずに、拡散板に入射する場合があった。さらに、特許文献１に対して、発光ダイオードユニットの配置密度をあげた場合、発光ダイオードユニットから発せられた光が、光学スタッド部材により遮られ、影が発生する場合がある。
【０００６】
本発明は、上記課題に鑑みて、複数の光源と光学部材との間隔を規定する支持部材とを有するバックライトにおいて、光学部材へ好適に光が入射することが可能な照明装置を提供することを目的とする。
【課題を解決するための手段】
【０００７】
本発明の照明装置の一の形態は、複数の光源が配置されるベース部材と、前記ベース部材の前面に所定の距離離れて設けられる前記複数の光源から発せられた光を透過する光学シートと、前記ベース部材に固定され、前記光学シートを指示する支持部材と、を備え、前記支持部材は、前記複数の光源のうち、第１の光源と、前記第１の光源と前記所定の距離より短い距離に配置された第２の光源との間に配置されており、前記支持部材の直径は、前記第１の光源と前記第２の光源との距離の３０％以下であることを特徴とする。
【発明の効果】
【０００８】
本発明の照明装置によれば、複数の光源が複数の光源と光学部材との間隔よりも短い間隔で配置された場合に、支持部材により光源から光学部材に向かう光がさえぎられて影になることを抑制することが可能となる。したがって、複数の光源と光学部材と複数の光源と光学部材との間隔を規定する支持部材とを有するバックライトにおいて、光学部材へ好適に光が入射することが可能となる。
【図面の簡単な説明】
【０００９】
【図１】表示装置１の分解斜視図を示す模式図である。
【図２】第１の実施例における表示装置１の断面を示す第１の断面図である。
【図３】照明装置１００の一部の光源群を正面から見た拡大図である。
【図４】１つの光源群を拡大した拡大図である。
【図５】複数の緑ＬＥＤ光源６２から光を発した場合に支持部材９０により発生する影を示す模式図である。
【図６】第１の実施例の第１の変形例における表示装置１の断面を示す第２の断面図である。
【図７】第１の実施例の第２の変形例における表示装置１の断面を示す第３の断面図である。
【図８】第１の実施例の第３の変形例における表示装置１の断面を示す第４の断面図である。
【図９】第２の実施例における表示装置１の断面を示す第５の断面図である。
【発明を実施するための形態】
【００１０】
以下、図面を用いて本発明の実施の形態について説明する。なお、本発明の技術的範囲は、特許請求の範囲によって確定され、以下に例示する実施例によって限定されるものではない。また、実施例の中で説明されている特徴の組み合わせすべてが本発明に必須とは限らない。本明細書および図面に記載の内容は例示であって、本発明を制限するものと見なすべきではない。本発明の趣旨に基づき種々の変形（各実施例の有機的な組合せを含む）が可能であり、それらを本発明の範囲から除外するものではない。即ち、各実施例及びその変形例を組み合わせた構成も全て本発明に含まれるものである。
【００１１】
（第１の実施例）
図１は、第１の実施例の照明装置１００を備える表示装置１の分解斜視図である。表示装置１は、前面側から、フレーム１０、表示パネル２０、および照明装置１００を備える。ここで、前面とは、表示パネル２０に画像が表示される側である。また、背面とは、前面と反対側を示すものとする。
【００１２】
フレーム１０は、表示パネル２０の表示領域の周辺領域を前面から支持する支持部材である。フレーム１０は、表示パネル２０を後述する照明装置１００のパネルホルダー３０と挟んで支持する。フレーム１０は、表示パネル２０の表示領域が、表示装置１の前面に露出するように、開口を有する。例えば、フレーム１０は、厚さ１ｍｍの電気亜鉛メッキ鋼板（ＳＥＣＣ）をプレス金型加工により成形した部材であるとする。なお、フレーム１０は、他の金属材料を用いたものであってもよく、樹脂成型で成形された樹脂部材であってもよい。
【００１３】
表示パネル２０は、照明装置１００から照射された光を透過して、表示領域に画像を表示する透過型の表示パネルである。例えば、表示パネル２０は、画素に対応する液晶素子を備える液晶パネルであるとする。表示パネルは、パネル駆動回路２１とフレキシブルケーブルで接続し、照明装置１００の背面に設けられた非図示の駆動回路と接続する。
【００１４】
照明装置１００の詳細について、図１に加えて、図２、図３、および図４を用いて説明する。図２は、表示装置１の横方向からみた断面を示した断面図である。本実施例において、横方向とは、表示装置１の長手方向であるとする。図２は、表示装置１の下半分を示している。本実施例において、上下方向は、表示装置１の短手方向である。図３は、反射シート５０を除いた照明装置１００を正面から見た正面拡大図である。なお、図３は、後述する支持部材９０を中心にした拡大図である。図４は、光源群６１を前面側から見た拡大図である。
【００１５】
照明装置１００は、前面側から、パネルホルダー３０、光学シート４０、反射シート５０、光源基板６０、筺体７０、駆動基板８０、および支持部材９０を備える。
【００１６】
パネルホルダー３０は、表示パネル２０の表示領域の周辺領域を背面側から支持する枠状の支持部材である。また、パネルホルダー３０は、光学シート４０の周縁部を、前面側に設けられた弾性部材３１を介して支持する支持部材でもある。パネルホルダー３０は、光学シート４０の周縁部を、後述する筺体７０の一部と挟んで支持する。
【００１７】
また、パネルホルダー３０は、光学シート４０が光源から拡散距離Ｌだけ離れるように、光学シート４０を支持する。パネルホルダー３０は、光学シート４０を透過した光を表示パネル２０に照射させるために、中央に開口を有する。例えば、パネルホルダー３０は、ＰｏｌｙＣａｒｂｏｎａｔｅ（ＰＣ）に、ガラスフィラー１０％を混合した樹脂部材を樹脂成型により形成した部材であるとする。パネルホルダー３０は、金属部材であってもよい。
【００１８】
光学シート４０は、パネルホルダー３０の背面側、かつ、光源基板６０の前面側に配置され、光源基板６０および反射シート５０から照射された光を拡散、もしくは集光して、前面に透過する光学部材である。光学シート４０は、複数枚の光透過性のシートを積層して構成され、シートには、光を拡散させる特性を持ったものや、表面に凹凸形状を有し光を集光させる特性をもったものなどを用いることができる。光学シート４０は、光源基板６０のかっ光源から、拡散距離Ｄ１以上の距離離れて配置される。例えば、拡散距離Ｄ１は、２０ｍｍであるとする。
【００１９】
反射シート５０は、光源基板６０の前面側に設けられる、光を反射する反射部材である。反射シート５０は、筺体７０の内壁に沿って折り曲げられる。これにより、反射シート５０は、光源基板６０の前面と筺体７０の内側とをほぼ覆う。反射シート５０は、光源基板６０から照射された光や、光学シート４０から反射された光が、光学シート４０に向かうように、反射する。例えば、反射シート５０は、厚さ０・５ｍｍ、反射率９５％以上の高反射率の白色の発泡ＰＥＴシート材であるとする。なお、反射シート５０は、高反射膜を表面に塗布された金属薄板などを用いてもよい。
【００２０】
反射シート５０は、後述する光源基板６０の光源が露出するように複数の開口５１を備える。また、反射シート５０は、後述する支持部材９０がベース部材７１に固定される位置に開口５２を有する。また、光源基板６０に、光源基板６０から照射された光を検出するための光センサが配置されている場合、光センサが露出するように開口５３を備えていてもよい。
【００２１】
光源基板６０は、複数の光源群６１が設けられる。光源基板６０は、後述するように支持部材９０を固定する空間を確保するために、一定の距離をあけて、複数設けられる。例えば、光源基板６０は、厚さ１．６ｍｍのガラスエポキシ材料で形成された基板であるとする。光源基板６０は、角部に所定の曲率を有するように、加工が施されている。
【００２２】
各光源群６１は、複数の光源６２を有する。各光源群６１は、マトリクス状に配置されているとする。光源群６１は、図３に示すように、ひと固まりに集積して配置された複数の光源から構成される。図３において、４つ光源群をそれぞれ光源群６１Ａ、光源群６１Ｂ、光源群６１Ｃ、光源群６１Ｄと呼ぶ。ここで、光源群６１Ｂは、光源群６１Ａに対して横方向に隣接し、光源群６１Ｃは、光源群６１Ａに対して上下方向に隣接する。さらに、光源群６１Ｄは、光源群６１Ｂに対して上下方向に隣接し、かつ、光源群６１Ｃに対して横方向に隣接する。光源群６１Ａ〜６１Ｄは、それぞれ矩形の頂点に配置されるともいえる。
【００２３】
光源群６１Ａ〜６１Ｄは、それぞれ異なる光源基板６０に配置される。光源群６１Ａは、光源基板６０Ａに配置される。光源群６１Ｂは、光源基板６０Ｂに配置される。光源群６１Ｃは、光源基板６０Ｃに配置される。光源群６１Ｄは、光源基板６０Ｄに配置される。
【００２４】
光源群６１は、複数の緑色の光を発する緑ＬＥＤ光源６２、複数の青色の光を発する青ＬＥＤ光源６３、および複数の赤色の光を発する赤ＬＥＤ光源６４で構成される。図４は、光源群６１における各光源の配置を示す光源群６１を正面からみた拡大図である。各光源群６１の最外殻の頂点に、緑ＬＥＤ光源６２が配置される。さらに、左右を緑ＬＥＤ光源６２の間に挟まれて、青ＬＥＤ光源６３が上下方向に並んで配置される。上下を緑ＬＥＤ光源６２の間に挟まれて、赤ＬＥＤ光源６４が左右方向に並んで配置される。このような光源の構成にすることで、各光源群６１から、均一な白色光を発することが可能となる。
【００２５】
隣接する光源群６１の近接する光源の間隔の最大値（距離Ｄ２）が、光学シート４０と光源基板６０との距離である拡散距離Ｄ１よりも短くなるように、各光源群６１は、光源基板６０に配置される。図３において、隣接する光源群のうち、もっとも距離が長い箇所は、例えば、光源群６１Ａの右下に配置されている緑ＬＥＤ光源６２Ａと、光源群６１Ｄの左上に配置されている緑ＬＥＤ光源６２Ｄと、の間の距離である。緑ＬＥＤ光源６２Ａと、緑ＬＥＤ光源６２Ｄとの距離Ｄ２は、拡散距離Ｄ１よりも短い。つまり、それぞれ矩形の頂点に配置された光源群６１において、対角に配置された光源群６１のうち、もっとも近接する光源間の距離Ｄ２は、光源基板６０と光学シート４０との拡散距離Ｄ１よりも短いと言える。例えば、距離Ｄ２は、１４ｍｍであるとする。
【００２６】
拡散距離Ｄ１とは、上述したように、複数の光源から発せられた光が十分に混色することができる距離のことであり、一定の距離が必要である。つまり光源間の距離Ｄ２を拡散距離Ｄ１より短くすることによって、光源群６１から発せられた光が、光学シート４０に届くまでに混色しやすくなり、色ムラ等の発生を抑制することが可能である。
【００２７】
なお、光源群６１を構成する複数の光源は、単一の色の光を発する光源からなるものであってもよい。また、光源群６１における複数の光源の配置は、図３の例に限らない。
【００２８】
筺体７０は、光源基板６０と反射シート５０とを収容し、前面側に光学シート４０とパネルホルダー３０とが設けられるケース部材である。筺体７０は、光源基板６０が固定されるベース部材７１と、筺体７０の側面を形成する壁部材７２とを備える。光源基板６０が、ベース部材７１に固定されていることから、光源基板６０に設けられる各光源は、ベース部材７１に固定されているともいえる。ベース部材７１は、背面側の駆動基板８０と光源基板６０とを電気的に接続するために、コネクタ等の接続機構を備える。
【００２９】
筺体７０は、内部に、反射シート５０、および光源基板６０を収納する。筺体７０と反射シート５０、および光源基板６０は、非図示のねじやリベット等の固定具よって固定される。筺体７０とパネルホルダー３０とは、ねじや爪勘合などの係合手段によって固定される。筺体７０のベース部材は、厚さ４ｍｍのアルミニウム合金（Ａ５０５２Ｐ）の板を、複合機を用いて成形した部材であるとする。また、筺体７０の壁部材７２は、厚さ０．８ｍｍのＳＥＣＣを、複合機を用いて成形した部材であるとする。
【００３０】
ベース部材７１は、光源基板６０で発生した熱を表示装置１の外部に伝えて、光源基板６０を冷却するため、熱伝導率の高い材料の鉄、アルミニウム、銅などの合金が好ましい。また、ベース部材７１の厚みは、２ｍｍ以上であることが、剛性の観点から好適である。筺体７０は、樹脂成型で成形された樹脂部材であってもよい。ベース部材７１は、支持部材９０との接合部７１ａを備える。例えば、接合部７１ａは、支持部材９０の直径と同等からやや大きい径を有する貫通孔であるとする。
【００３１】
駆動基板８０は、光源基板６０に設けられた光源の発光を制御するための制御基板である。駆動基板８０は、筺体７０の背面に設けられ、ベース部材７１を介して、コネクタやケーブルを用いて、光源基板６０と電気的に接続する。例えば、駆動基板８０は、コネクタとして、Ｂｏａｒｄ  ｔｏ  Ｂｏａｒｄ（以下、ＢｔｏＢと表記）を用いるとする。また、ケーブルとして、フレキシブル配線を用いるとする。
【００３２】
支持部材９０は、光源基板６０の各光源と、光学シート４０との距離が拡散距離Ｄ１以上となるように、光学シート４０を背面側から支持する支持部材である。光学シート４０は、熱や振動により「たわみ」が発生する場合がある。また、表示装置１の表示領域の大きさが大きくなるほど、光学シート４０も大きくなり、「たわみ」が発生しやすくなる。支持部材９０は、ベース部材７１に固定され、光学シート４０を背面側から支持することにより、光学シート４０と光源基板６０との距離を拡散距離Ｄ１以上に保持する。光学シート４０と光源基板６０との距離のむらを低減するために、支持部材９０は、複数の箇所に設けられることが望ましい。
【００３３】
図２、および図３に示すように、支持部材９０は、円柱形状の部材である。また、支持部材９０の光学シート４０に対向する端部は、面取り加工がされている。面取り加工により、光学シート４０に支持部材９０が接触した場合に、光学シート４０に接触痕がつくことを抑制する。支持部材９０は、ステンレス部材であるとする。なお、支持部材９０は、他の金属部材や、樹脂部材であってもよい。支持部材９０の表面に、反射率を高める処理を施してもよい。例えば、反射率を高める処理は、鏡面加工や、白色塗装、メッキ処理等である。
【００３４】
さらに、支持部材９０は、光学シート４０と光源基板６０との距離が拡散距離Ｄ１である基準状態において、光学シート４０に対して間隔を有するように配置される。光学シート４０と支持部材９０との間隔は、例えば０．５ｍｍ〜１．０ｍｍ程度であるとする。このようにすることで、基準状態において、光学シート４０と支持部材９０とが接触して、光学シート４０に接触痕がつくことを抑制する。
【００３５】
支持部材９０は、筺体７０内部に露出するスペーサ部９１と、ベース部材７１に埋設、あるいは貫通して、ベース部材７１と接合する接合部９２とが連続して成る。ベース部材７１の接合部７１ａと支持部材９０の接合部９２とが接合することで、支持部材９０の倒れを抑制し、光源基板６０と支持部材９０とがの重なることを防止することが可能である。例えば、支持部材９０は、４ｍｍの長さの接合部９２を有し、支持部材９０の接合部９２は、ベース部材７１の接合部７１ａに圧入して固定されるとする。なお、支持部材９０とベース部材７１とは、締結により固定されていてもよい。
【００３６】
図３に示すように、支持部材９０は、光源群６１Ａ〜６１Ｄのうち、対角に配置された光源群６１の間に配置される。具体的には、支持部材９０は、光源群６１Ａの右下に配置される緑ＬＥＤ光源６２Ａと、光源群６１Ｄの左上に配置される緑ＬＥＤ光源６２Ｄとの間に配置される。また、支持部材９０は、光源群６１Ｂの左下に配置される緑ＬＥＤ光源６２Ｂと、光源群６１Ｃの右上に配置される緑ＬＥＤ光源６２Ｃとの間に配置される。
【００３７】
さらに、支持部材９０は、緑ＬＥＤ光源６２Ａおよび緑ＬＥＤ光源６２Ｄの中心を結ぶ線分Ｌ１と、緑ＬＥＤ光源６２Ｂおよび緑ＬＥＤ光源６２Ｃの中心を結ぶ線分Ｌ２との交点に配置される。支持部材９０が、隣接する複数の光源群６１から略等距離に配置されることにより、支持部材９０による光学的な影響に偏りが生じることを抑制することが可能となる。これにより、色ムラや輝度ムラの発生を抑制することが可能となる。
【００３８】
また、支持部材９０は、各光源群６１が配置される光源基板６０の間に配置される。光源基板６０と支持部材９０は、それぞれ独立にベース部材７１と固定することにより、それぞれを独立に着脱可能となる。なお、支持部材９０は、光源基板６０を介してベース部材７１と接合するものであってもよい。
【００３９】
支持部材９０の直径は、線分Ｌ１と線分Ｌ２のうち短いほうの線分の長さの３０％以下である。例えば、支持部材９０の直径は、１．６ｍｍであるとする。第１の実施例において、線分Ｌ１と線分Ｌ２とは、同じ長さであるとする。上述のように、距離Ｄ２が１４ｍｍであることから、線分Ｌ１と線分Ｌ２との長さは、１４ｍｍである。したがって、支持部材９０の直径は、線分Ｌ１の１１．４％である。支持部材９０の直径は、線分Ｌ１の長さの３０％以下であればよい。支持部材９０は、各光源群６１から発せられ、光学シート４０に向かう光の一部を遮る。各光源群６１において、対応する色が同じ光源は、それぞれ複数備えていることから、各色の光源から発せられた光の重ね合わせにより、支持部材９０を挟んで光源と反対側に三角形の影を作る。
【００４０】
図５は、光源群６１Ｄの複数の緑ＬＥＤ光源６２から光を発した場合に、支持部材９０により光学シート４０に発生する影を、図３の照明装置１００の正面図に投影した模式図である。光源群６１Ｄの各緑ＬＥＤ光源６２から発せられた光は、支持部材９０に遮られてそれぞれ影を発生させる。複数の緑ＬＥＤ光源６２による影が重なる領域Ｓが、光源群６１Ｄの複数の緑ＬＥＤ光源６２から発せられた光が届きにくい領域である。領域Ｓは、影の重ね合わせにより、三角形状となる。
【００４１】
光源群６１Ｄの複数の青ＬＥＤ光源６３、および複数の赤ＬＥＤ光源６４も複数の緑ＬＥＤ光源６２と同様に、影を作る。また、他の光源群６１Ａ〜６１Ｃについても、光源群６１Ｄと同様に影を生成する。
【００４２】
各光源群６１に対して支持部材９０により生成される影の領域Ｓは、支持部材９０の直径が短いほど、小さくなる。つまり、支持部材９０の直径が短いほど、支持部材９０による光学的な影響が小さくなる。
【００４３】
さらに、支持部材９０の直径は、線分Ｌ１と線分Ｌ２のうち短いほうの線分の長さの３０％より大きいと、支持部材９０の傾きにより光源との重なることや、各光源の実装範囲に支持部材９０が隣接する等、光学面、物理面での影響や制約が大きくなる恐れがある。
【００４４】
したがって、支持部材９０は、近接する光源群のうちそれぞれ近接する光源同士を結んだ線分の長さの３０％以下とすることにより、支持部材９０により発生する影の影響を抑制し、かつ、取り付け時に十分な強度を確保することが可能となる。
【００４５】
支持部材９０の直径は短いほど、影の影響を抑制するためには望ましいが、支持部材９０の目的である光学シート４０を支持するために、取り付けの安定性や支持部材９０自体の強度を確保する必要がある。支持部材９０の直径は、線分Ｌ１と線分Ｌ２のうち短いほうの線分の長さの５％以上であることが、取り付けの安定性や強度を確保するために望ましい。
【００４６】
第１の実施例に記載の照明装置１００によれば、複数の光源が、複数の光源と光学シート４０との間隔よりも短い間隔で配置された場合に、支持部材９０により光源から光学シート４０に向かう光がさえぎられて影になることを抑制することが可能となる。したがって、複数の光源、光学シート、および複数の光源と光学部材との間隔を規定する支持部材を有する照明装置１００において、光学シート４０へ好適に光が入射することが可能となる。
【００４７】
なお、支持部材９０をベース部材７１に固定する方法は、上述の方法に限定されない。ベース部材７１の接合部７１ａおよび支持部材９０の接合部９２は、後述するような構成をとることも可能である。
【００４８】
図６は、実施例１の第１の変形例の表示装置１を示した断面図である。図７に示すように、支持部材１９０はベース部材１７１に対して、加締形状とした。支持部材１９０はベース部材１７１の背面において加締を施す。加締方向としては駆動基板８０側となる。支持部材１９０の根元径を円柱のストレート形状に対し、１〜２ｍｍほど直径を大きくして、支持部材１９０とベース部材１７１と接合する。根元部の高さはベース部材１７１の厚みに依存するが、０．５〜３ｍｍ程度が望ましい。
【００４９】
図７は、実施例１の第２の変形例の表示装置１を示した断面図である。図８に示すように、支持部材２９０はベース部材２７１に対して、加締形状とした。支持部材２９０はベース部材２７１の前面において加締を施す。つまり加締方向としては光源基板６０側となる。支持部材２９０の根元径を円柱のストレート形状に対し、１〜２ｍｍほど直径を大きくして、支持部材２９０とベース部材２７１とを接合する。根元部の高さはベースの厚みに依存するが、０．５〜３ｍｍ程度が望ましい。
【００５０】
図８は、実施例１の第３の変形例の表示装置１を示した断面図である。図５に示すように、支持部材３９０はベース部材３７１に対して、加締形状とした。支持部材３９０はベース部材３７１の前面において加締を施す。つまり加締方向としては光源基板６０側となる。支持部材３９０の根元径を円柱のストレート形状に対し、加締部は１〜２ｍｍほど直径が大きいところから、皿形状となって、支持部材３９０とベース部材３７１とが接合される。
【００５１】
上述のように、支持部材とベース部材とに加締形状を設けることで、支持部材の強度を向上することが可能となる。
【００５２】
（第２の実施例）
本発明の第２の実施例について、図を用いて説明する。第１の実施例の表示装置１と、装置構成は同様であるので、説明は省略する。
【００５３】
図９は、本発明の表示装置１の横断面を示した断面図である。第２の実施例の照明装置１００は、第１の実施例に対して、支持部材４９０がベース部材４７１を介して光源基板６０側と、駆動基板８０側とを貫通した形状である点が異なる。支持部材４９０は、ベース部材４７１に圧入して接合される。
【００５４】
支持部材４９０のうち、ベース部材４７１の背面につき出る部分４９１により、光源基板６０と駆動基板８０との位置を決定することが可能となる。具体的には、部分４９１が、駆動基板８０に設けられた位置決め孔８１に挿入される。これにより、表示領域拡大や高輝度化に伴うことから基板数が増えたり、ＢｔｏＢコネクタを採用した際の位置ズレを防止したりすることを可能とする。
【００５５】
位置決め孔８１は、基板側に設けられた支持部材４９０の部分４９１の直径よりわずかに大きい穴である。また、支持部材４９０は、１つの光源基板６０に対して２以上あると位置決めをより正確に実施することができる。
【００５６】
第２の実施例の構成によれば、第１の実施例と同様に、複数の光源、光学シート、および複数の光源と光学部材との間隔を規定する支持部材を有する照明装置１００において、光学シート４０へ好適に光が入射することが可能となる。さらに、ＢｔｏＢコネクタを採用した際に、光源基板６０と駆動基板８０とを精度よく配置させることが可能となる。
【００５７】
以上、本発明によれば、液晶表示装置の高輝度化が進み、光源数増加や狭間隔のような光源が密に配置された場合においても、支持部材の光学影響を最小限に抑えた支持部材の機能を得ることができる。
【符号の説明】
【００５８】
１  表示装置
１００  照明装置
５０  反射シート
５１、５２  開口
６０  光源基板
６１  光センサ
７０  光源群
７１  緑ＬＥＤ光源
７２  青ＬＥＤ光源
７３  赤ＬＥＤ光源
８０  筺体
【図１】
2018032587.tif 000003
【図２】
2018032587.tif 000004
【図３】
2018032587.tif 000005
【図４】
2018032587.tif 000006
【図５】
2018032587.tif 000007
【図６】
2018032587.tif 000008
【図７】
2018032587.tif 000009
【図８】
2018032587.tif 000010
【図９】
2018032587.tif 000011